(57)【要約】      （修正有）【課題】耐震性を保証する構造用合板の固定状態を、後日でも、客観的に容易に証明できる耐力壁構造住宅用の透湿防水材を提供する。【解決手段】構造用合板１０の屋外側表面に配する透湿防水材３０に、構造用合板を結合させる固定金具（木造用耐震ねじ２１、帯金物２２）を外部から目視確認できる点検開口部３２を設けるとともに、当該点検開口部３２に、透明材、半透明材、或いは、開閉可能に配した透湿防水材３０いずれか一の閉塞手段３５を配する。かかる構成により、外壁化粧材を取り外すことによって、随時、構造用合板１０の固定状態（固定金具の配設状態、個数等）を点検開口部３２を介して視認可能とすることが出来る。耐力壁構造の根幹である構造用合板１０の固定状態を視認可能とする結果、当該家屋の不動産価値評価を確実に高めることが出来る。【選択図】図１
0003220949.tif 000002
【実用新案登録請求の範囲】
【請求項１】
土台に立設した柱材の屋外側に構造用合板を配する耐力壁構造住宅において、
前記構造用合板の屋外側表面に配する透湿防水材に、
前記柱材と構造用合板とを結合させる固定金具を外部から目視確認できる点検開口部を設けるとともに、
当該点検開口部に、
透明材、半透明材、開閉可能に配した透湿防水材のいずれか一の手段を用いた閉塞手段を配することを特徴とする耐力壁構造住宅用の透湿防水材。
【請求項２】
点検開口部は、
構造用合板を固定する固定金具の各々について個別に設けることを特徴とする請求項１記載の耐力壁構造住宅用の透湿防水材。
【請求項３】
点検開口部は、
構造用合板を固定する固定金具の配設列を視認できるよう、縦長／横長の開口とすることを特徴とする請求項１記載の耐力壁構造住宅用の透湿防水材。
【考案の詳細な説明】
【技術分野】
【０００１】
本考案は、構造用合板を用いる木造住宅に係り、特に、構造用合板の屋外側に配設する透湿防水材の構成に関する。
【背景技術】
【０００２】
図４は、耐力壁構造の木造住宅、例えば、ツーバイフォー構造をとる戸建住宅の外壁構造を例示する平面断面図である。
【０００３】
１は間柱、２は、間柱１の間に配する断熱材、３は、間柱１の屋外側に設ける構造用合板、４は、構造用合板３の屋外側に設ける透湿防水シート、５は胴縁、６は、胴縁５によって形成される通気用空間、７は、サイディング材、８は、断熱材２の屋内側に設ける透湿シートである。
【０００４】
図５に示すように、構造用合板３は、例えば、固定金具（木造用耐震ねじ等）８−１を介して間柱１／柱材１−２に固定する。透湿防水シート４は、構造用合板３の屋外側の全面を覆うように配設する。
【０００５】
胴縁５は、例えば釘等の固定金具（図示せず）を介して間柱１／柱材１−２に固定し、サイディング材７は、例えば釘等の固定金具８−２を介して胴縁５に固定する。構造用合板３の屋外側に固定する胴縁５と、サイディング材７との間の隙間は、換気用の空気流動経路として機能する。
【先行技術文献】
【特許文献】
【０００６】
【特許文献１】実願２０１８−００４７４４
【考案の開示】
【考案が解決しようとする課題】
【０００７】
問題は、躯体強度を保証する構造用合板（３）が、適正な状態で固定されているか否かの点について、後日の査定判断が難しい点にある。
【０００８】
構造用合板（３）は、軸組枠構造をとる木造住宅において、躯体強度、耐震性能を保証する等、きわめて重要な建築要素である。しかしながら、構造用合板（３）の屋外表面には、透湿防水シート（４）が全面に配設される。屋内側から排出される湿気を逃がす一方、構造用合板（３）に対する水分（雨水、結露等）を防止するためである。
【０００９】
そして、透湿防水シート（４）を構造用合板（３）の全面に配する結果、構造用合板（３）を固定する木造用耐震ねじ等の固定金具（８−１）は、外部からみえない状態となる。
【００１０】
新築工事の場合は、構造用合板（３）の固定を確実に行っていることを、例えばビデオ撮影して、施主に対して映像データとして示すことが出来る。
【００１１】
しかしながら、工事進捗状態の映像がない場合、或いは映像データが施主に提供されない場合等、構造用合板（３）の固定状態は、不明のままとなる。
【００１２】
また、後日、当該家屋を売却する際に、構造用合板（３）の固定状態がどのようになっているかを、客観的に証明する困難が生じる結果、不動産価値の評価が不安定なままになる虞れがある。
【００１３】
そこで、本考案の目的は、耐力壁構造住宅用において耐震性を保証する構造用合板の固定状態を、後日でも、客観的に容易に証明できるようにする点にある。
【課題を解決するための手段】
【００１４】
前記目的を達成するため、本考案に係る耐力壁構造住宅は、構造用合板の屋外側表面に配する透湿防水材に、柱材（柱、間柱）と構造用合板とを結合させる固定金具を外部から目視確認できる点検開口部を設けるとともに、当該点検開口部に、透明材、半透明材、或いは、開閉可能に配した透湿防水材いずれか一の閉塞手段を配する（請求項１）。
【００１５】
固定金具を外部から目視確認できる点検開口部を設け、当該開口部に透明材、半透明材等の閉塞手段、或いは、固定金具の点検が可能な状態で開閉可能に配した透湿防水材を設けることによって、随時、構造用合板の固定状態（固定金具の配設状態、個数等）を視認可能とすることが出来る。
【００１６】
点検開口部は、構造用合板を固定する固定金具の各々について個別に設ける場合がある（請求項２）。
【００１７】
構造用合板を固定する固定金具は、例えば、木造用耐震ねじ、構造用合板の繋ぎ部分に使用する連結材（帯金物）等を使用する。点検開口部は、その各々の固定金具について個別に設け、当該個別の点検開口部を、透明材、半透明材、或いは、開閉可能に配した透湿防水材いずれか一の閉塞手段によって閉塞することが出来る。
【００１８】
点検開口部は、構造用合板を固定する固定金具の配設列を視認できよう、縦長または／および横長の開口とする場合がある（請求項３）。
【００１９】
構造用合板を固定する固定金具は、数が多い。このため、個別に点検開口部を設けず、配設列を外部から視認できよう縦長／横長の開口としても良い。個別の点検開口部を設けるよりも、透湿防水材の製造が容易となりコストを低減できる利点がある。
【考案の効果】
【００２０】
本考案に係る耐力壁構造住宅用の透湿防水材によれば、耐震性を保証する構造用合板の固定状態を、随時、客観的に証明することが出来る。
【図面の簡単な説明】
【００２１】
【図１】第一の実施形態に係る透湿防水材を例示する図である。
【図２】第二の実施形態に係る透湿防水材を例示する図である。
【図３】第三の実施形態に係る透湿防水材を例示する図である。
【図４】従来の外壁構造を例示する平面断面図である。
【図５】従来の外壁構造を例示する斜視図である。
【考案を実施するための形態】
【００２２】
図１は、第一の実施形態に係る耐力壁構造住宅の透湿防水材を例示するものである。
【００２３】
１０は、構造用合板、１１は柱、１２は間柱、１４は梁（または桁、胴差し）、１５は胴つなぎ、１６は基礎、１７は土台、１８は受材である。
【００２４】
構造用合板１０は、例えば、木造用耐震ねじ２１、帯金物２２等の固定金具を介して、柱１１、間柱１２、梁１４に固定する。柱１１および梁１４には、固定金具を打ち込むための受具（図示せず）を配することがある。
【００２５】
木造用耐震ねじ２１は、適当間隔（例えば１００mm以下）で外周部に打ち込むとともに、適当間隔（例えば１５０mm以下）で中間部に打ち込む。
【００２６】
また、この実施形態は、構造用合板１０を高さ方向に張り継ぐ場合を例示しているので、胴つなぎ１５に対しても木造用耐震ねじ２１を適当間隔（例えば１００mm以下）で打ち込む。下の構造用合板（１０−１）の上端近傍、上の構造用合板（１０−２）の下端近傍に、それぞれ木造用耐震ねじ２１を打ち込んで固定するとともに、帯金物２２を介して、上下の構造用合板（１０−１、１０−２）をしっかり連結させる。
【００２７】
好ましくは、帯金物２２を、下の構造用合板（１０−１）と土台１７とを跨いで固定させ、下の構造用合板（１０−１）と土台１７とを強固に連結させる。
【００２８】
３０は、構造用合板１０の屋外側の表面に配するシート状の透湿防水材である。透湿防水材３０の素材は、例えば、ポリエチレン製不織布等である。
【００２９】
３２は、透湿防水材３０に設けた点検開口部、３５は、この点検開口部３２を塞ぐ閉塞材（閉塞手段）である。
【００３０】
本実施形態の点検開口部３２は、外周部、中間部の縦方向、継ぎ目部分に配する。すべての固定金具（木造用耐震ねじ２１、帯金物２２）が屋外側の外部から目視確認できる位置に設けてある。
【００３１】
閉塞材３５は、固定金具（木造用耐震ねじ２１、帯金物２２）を外部から容易に目視確認できるもの、例えば、透明の樹脂材、半透明の樹脂材、開閉可能に固定した透湿防水材を用いることが出来る。
【００３２】
閉塞材３５は、固定金具（木造用耐震ねじ２１、帯金物２２）を外部から視認可能な状態で点検開口部３２を塞ぐことが出来れば良く、必ずしも透湿性をもつ必要はない。しかしながら、より好ましくは、ポリエステル不織布をベースにした半透明樹脂シート等を用いる。閉塞材３５として非透明の透湿防水材を用いる場合は、例えば、当該透湿防水材の一端縁を点検開口部３２の上端部近傍に貼着し、捲り上げ可能（開閉可能）とすることによって、閉塞機能と透湿吸湿性能を実現することが出来る。
【００３３】
帯金物２２は、上下方向／横方向にやや長尺であるが、その全部を点検開口部３２を介して視認可能とする必要はない。適宜箇所、例えば帯金物２２の中央部だけが外部から視認できるだけで、当該帯金物２２の存在を確認できるからである。
【００３４】
閉塞材３５は、点検開口部３２より若干大きめの寸法とし、例えば、透湿防水材３０の屋外側から適宜手段、例えば、貼着によって配設する。
【００３５】
従って、かかる構成によれば、耐力壁構造において最も重要となる構造要素の構造用合板１０の固定状態を、いつでも外部から目視確認することが可能となる。外壁の化粧材（サイディング材等）を取り外すことによって、容易に構造用合板１０に使用されている固定金具（木造用耐震ねじ２１、帯金物２２）の状態（配設本数、配設間隔等）を目視確認できるからである。
【００３６】
これにより、後日の不動産評価においても、耐力壁（構造用合板１０）について正しい評価を受けることが可能となり、曖昧な鑑定評価を排除することが出来、不動産価値を高く維持させることが出来る。
【００３７】
図２は、第二の実施形態に係る耐力壁構造住宅の透湿防水材を例示するものである。
【００３８】
この実施形態は、高さ方向に構造用合板１０の張り継ぎがない場合における、透湿防水材３０−２を示すものである。前記第一の実施形態（図１）と同一の部分は、同一符号を附して重複する説明を省略する。
【００３９】
高さ方向に構造用合板１０の張り継ぎがない場合、透湿防水材３０−２に設ける点検開口部（３２）と、当該点検開口部（３２）を塞ぐ閉塞材３５−２は、構造用合板１０の外周部と中間部の縦方向に設ける。固定金具（木造用耐震ねじ、帯金物等）は、外周近傍と中間縦方向にのみ配されるからである。
【００４０】
かかる構成によれば、構造用合板１０を固定しているすべての固定金具（木造用耐震ねじ、帯金物等）が、外部（屋外側）から視認可能となる。
【００４１】
なお、前記実施形態では、点検開口部（３２）および閉塞材（３５）を略長方形として図示説明した。
【００４２】
しかしながら、本考案の目的は、外部から構造用合板を固定する固定金具の状態を容易に目視確認可能とするものである。従って、必ずしも、点検開口部（３２）を連続的な開口孔とする必要はない。
【００４３】
図３に示すように、固定金具の各個ごとに小さな点検開口部３２−２を設け、当該点検開口部３２−２を長尺の閉塞材３５−２によって閉塞しても良い。或いは、固定金具の各個ごとに設けた小さな点検開口部３２−２のそれぞれを、小さな閉塞材（３５）によって個別に塞いでも良い。
【符号の説明】
【００４４】
１０  構造用合板
１０−１  下の構造用合板
１０−２  上の構造用合板
１１  柱
１２  間柱
１４  梁（桁、胴差し）
１５  胴つなぎ
１６  基礎
１７  土台
１８  受材
２１  木造用耐震ねじ
２２  帯金物
３０、３０−２  透湿防水材
３２、３２−２  点検開口部
３５、３５−２  閉塞材（閉塞手段）
【図１】
0003220949.tif 000003
【図２】
0003220949.tif 000004
【図３】
0003220949.tif 000005
【図４】
0003220949.tif 000006
【図５】
0003220949.tif 000007